(57)【要約】【課題】絵柄を交換する時に道具を使用せず、また、交換時において絵柄が水に濡れないようにでき、また、絵を鑑賞する以外の目的で使用できる（パズル等）、表示面を交換可能にした表示具を得る。【解決手段】母材板の中央部を皿状に窪ませて外周に額縁部１と内側に絵柄表示部２を形成して、該絵柄表示部２の前面又は裏面に、磁石シート３の表面に絵柄４ｐを設けた磁性板４を貼着し、両面に絵柄５ｐを設けた吸着板５を該絵柄５ｐの一方を択一的に選択して、前記磁性板４に着脱自在とした構造にしたものである。【選択図】          図１
2004330766.tif 000002
【特許請求の範囲】
【請求項１】
母材板の中央部を皿状に窪ませて外周に額縁部（１）と内側に絵柄表示部（２）を形成し、該絵柄表示部（２）の前面又は裏面に、磁石シート（３）の表面に絵柄（４ｐ）を設けた磁性板（４）を貼着し、両面に絵柄（５ｐ）を設けた吸着板（５）を該絵柄（５ｐ）の一方を択一的に選択して、前記磁性板（４）に着脱自在にすることを特徴とした表示面を交換可能にした表示具。
【請求項２】
額縁部（１）の前面又は裏面に磁石シート（１ａ）を貼着し、両面に絵柄（６ｐ）を設けた吸着パズル片（６）を前記磁石シート（１ａ）に着脱自在とした請求項１記載の表示面を交換可能にした表示具。
【請求項３】
磁性板（４）を吸着体（７）の表面に絵柄（４ｐ）を設けた吸着板（４４）に、吸着板（５）を磁性板（５５）に、磁石シート（１ａ）を吸着体（７）に、吸着パズル片（６）を磁石パズル片（６６）にした、請求項１又は２記載の表示面を交換可能にした表示具。
【発明の詳細な説明】
【０００１】
【発明の属する技術分野】
本発明は、屋内及び屋外、或いは浴室で使用する絵画パネルや写真立て、又はパズル遊具、或いは学習教材に使用できる、表示面を択一的に選択して交換可能にした表示具に関する。
【０００２】
【従来の技術】
従来、絵画パネルとしては、パネルにマグネットシートを貼り付け、鉄板と絵画シートで構成された絵画パネルを、道具を使用して交換が行えるようにしてあるものがある（例えば、実開平７−３７６９６号公報）。
【０００３】
【発明が解決しようとする課題】
従来の表示面を交換可能にした表示具は、上記公報に示すとおり、絵柄を交換する時は道具を使用しなければならなかった。また、交換時において絵柄が水に濡れないようにする必要があった。また、絵を鑑賞する以外の目的で使用することはなかった。
【０００４】
本発明は、一台の表示具であっても何枚もの絵柄を容易に差し替えて鑑賞したり、屋内や屋外、或いはお風呂であってもパズル遊びを楽しむことが出来、交換時においても水濡れを気にしなくても良い表示面を交換可能にした表示具を提供することを目的としている。
【０００５】
【課題を解決するための手段】
上記目的を達成するために、本発明の表示面を交換可能にした表示具においては、母材板の中央部を皿状に窪ませて外周に額縁部と内側に絵柄表示部を形成し、該絵柄表示部の前面又は裏面に、磁石シートの表面に絵柄を設けた磁性板を貼着し、両面に絵柄を設けた吸着板を該絵柄の一方を択一的に選択して、前記磁性板に着脱自在とした構造にしたものである。
【０００６】
また、パズル遊びをするためには、後記する理由により、額縁部の前面又は裏面に磁石シートを貼着して、両面に絵柄を設けた吸着パズル片を前記磁石シートに着脱自在にする構造にすると都合がよい。
【０００７】
そして、上記の磁性体と吸着体との関係を逆にして、磁性板を吸着体の表面に絵柄を設けた吸着板に、吸着板を磁性板に、磁石シートを吸着体に、吸着パズル片を磁石パズル片とした構成にすることもできる。
【０００８】
上記のように構成された表示面を交換可能にした表示具は、絵柄表示部の全面又は裏面に貼着してある磁石シートの働きで、吸着板を吸着保持することができる。したがって必要に応じて簡単に絵柄を交換することができる。また、絵柄表示部の窪んだ面か、或いは絵柄表示部が隆起している面のどちらかを選んで表示することもこともできる。そして、吸着板を取り外した状態であっても、磁石シートに施してある絵柄が現れる。
【０００９】
そして、額縁部の前面又は裏面に磁石シートを貼着し、両面に絵柄を設けた吸着パズル片を前記磁石シートに着脱自在としたことにより、額縁部から絵柄表示部に吸着パズル片を移動吸着させることができるので、この表示面を交換可能にした表示具は、パズル遊具としても使用することができる。また、パズル遊びをしないときには、吸着パズル片をこの額縁部の磁石シートに吸着保持させておくことができるので、吸着パズル片を専用の箱等に収納する必要をなくす働きがある。また、吸着パズル片には両面に絵柄が設けてあるので、任意に分割された表裏二組の絵柄を持つ吸着パズル片を、額縁部の磁石シートに表裏混在させて配列吸着しておくことにより、片面のみで構成されたパズルより難易度を高くすることができる。また、表と裏の絵柄を同じような色や形にすると、より判別しにくくなる視覚を利用して、パズル遊びの難易度を任意に調整することができる。
【００１０】
また、磁石シートと吸着板の関係を入れ替えて、磁性板を吸着体の表面に絵柄を設けた吸着板に、吸着板を磁性板に、磁石シートを吸着体に、吸着パズル片を磁石パズル片にしても同じ働きがある。
【００１１】
【発明の実施の形態】
発明の実施の形態を実施例にもとづき図面を参照して説明する。
図１、図２に示される実施例では、厚さ３ミリ前後の樹脂板の中央部を皿状に窪ませて、外周に額縁部１と内側に絵柄表示部２を形成し、この絵柄表示部２の前面に厚さ１ミリ程度の磁石シート３を貼着し、この磁石シート３に防水性の印刷で絵柄４ｐを施した。そして、同じように防水性の印刷で絵柄５ｐを施した厚さ０．１ミリ前後のスチールフィルム７を厚さ３ミリ前後の軽量樹脂基材８の両面に貼着して構成した吸着板５を、指掛部９を設けるために、磁石シート３の面積より若干広くして作製し、この磁石シート３に着脱可能にした。（尚、図２、図４及び図５に示している吸着板及び吸着パズル片の断面は、説明の都合上、拡大して表している。）
【００１２】
図３に示される実施例では、額縁部１にも磁石シート１ａを貼着している。吸着板５を分割して構成した吸着パズル片６を額縁部１の磁石シート１ａに表裏混合で吸着保持し、その状態から絵柄表示部２の磁石シート３に移動させてパズル絵を完成させようとしている状態を示した。
【００１３】
図４には、吸着パズル片６と額縁部１の断面を示した。
【００１４】
図５には、磁石シートとスチールフィルム、の関係を入れ替えた状態を示した。
【発明の効果】
本発明は、以上説明したように構成されているので、以下に記載されるような効果を奏する。
【００１５】
表示面を交換可能にした表示具の、母材板の中央部を皿状に窪ませて外周に額縁部と内側に絵柄表示部を形成し、該絵柄表示部の前面又は裏面に、磁石シートの表面に絵柄を設けた磁性板を貼着し、両面に絵柄を設けた吸着板を該絵柄の一方を択一的に選択して、前記磁性板に着脱自在な構成にしたことにより、好みや季節などの必要に応じて、道具を必要としないで、絵柄を簡単に交換して鑑賞することができる他、リバーシブル構造になっているので、好みによって凹面か凸面かどちらかを択一的に選択することができ、より情緒的な欲求を満足させることができる。
【００１６】
また、額縁部の前面又は裏面に磁石シートを貼着し、両面に絵柄を設けた吸着パズル片を前記磁石シートに着脱自在としたことにより、表示面を交換可能にした表示具は、パズル遊具としても使用することができるようになり、また、パズル片を収納するための専用の箱等が必要なくなった。また、絵柄の組み合わせによって、難易度を変えたパズルを製造することが可能で、幼児から大人まで楽しむ事ができるようになった。
【００１７】
また、吸着板及び吸着パズル片に数学の公式や漢字、歴史の年表等を表示しておけば、学習教材としても使用することができる。
【００１８】
そして、本発明の表示具をお風呂場に設置した場合などは、お風呂嫌いな幼児や半身浴を必要としている療養中の人には、浴槽内壁面の任意の位置に取り付ける等の工夫をすることにより、お湯に浸かりながら絵柄を鑑賞したり、パズル遊びをすることによってお風呂嫌いをなくしたり、楽しみながら無理なく健康促進を図ることができる。また、防水性を施した絵柄にしたので、吸着板の交換時において、絵柄が水に濡れて損なうことがなくなった。
【００１９】
さらに、全体を凹凸の少ない単純な平面形状にしたことによって、屋外或いは浴室であっても、埃等の汚れや、湿気による黴の発生を少なくすることができる絵画パネルや写真立てを、提供することができるようになった。
【００２０】
【図面の簡単な説明】
【図１】壁掛け表示具の実施例を示す斜視図である。
【図２】壁掛け表示具の実施例を示す部分断面図である。
【図３】壁掛け表示具の実施例を示す斜視図である。
【図４】壁掛け表示具の実施例を示す部分断面図である。
【図５】壁掛け表示具の実施例を示す部分断面図である。
【符号の説明】
１    額縁部
２    絵柄表示部
３、１ａ、５ａ、６ａ    磁石シート
４ｐ、５ｐ、６ｐ    絵柄
４、５５    磁性板
５、４４    吸着板
６    吸着パズル片
７    吸着体
８    軽量樹脂基材
９    指掛部
６６    磁石パズル片
【図１】
2004330766.tif 000003
【図２】
2004330766.tif 000004
【図３】
2004330766.tif 000005
【図４】
2004330766.tif 000006
【図５】
2004330766.tif 000007